(57)【要約】【課題】監視対象である映像モニタリングシステムにおける障害などのイベント発生の通知を、イベントの重要度に応じて監視端末への配信の有無を制御する。【解決手段】異なる複数の使用者（例えば、映像モニタリングシステムのユーザ、映像モニタリングシステムの保守担当者、映像モニタリングシステムのシステム担当者、など）によって使用される複数の監視端末装置と、映像モニタリングシステムにおいてある事象が発生した場合に、当該事象の通知レベルに応じて、複数の監視端末装置のうちいずれの監視端末装置に当該事象の発生を通知するためのメッセージを配信するかを決定する監視装置とを有する。【選択図】    図１
2009089229.tif 000002
【特許請求の範囲】
【請求項１】
映像モニタリングシステムにおいて所定の事象が発生した場合に、当該事象の発生を通知するためのメッセージを配信する機器監視システムであって、
異なる複数の使用者によって使用される複数の監視端末装置と、
前記映像モニタリングシステムにおいてある事象が発生した場合に、当該事象の通知レベルに応じて、前記複数の監視端末装置のうちいずれの監視端末装置に当該事象の発生を通知するためのメッセージを配信するかを決定する監視装置と
を有することを特徴とする機器監視システム。
【請求項２】
前記事象は、映像モニタリングシステムの故障又は異常であり、故障又は異常の重大性が高いほど、より多くの監視端末装置に前記メッセージが配信されることを特徴とする請求項１に記載の機器監視システム。
【発明の詳細な説明】
【技術分野】
【０００１】
本発明は機器監視システムに関し、より詳しくは機器故障等のイベントに応じて、通知の配信先を制御可能な機器監視システムに関する。
【背景技術】
【０００２】
防災や防犯が社会生活を営むうえで重要性を増してきていることに伴い、金融機関、劇場、遊戯場、店舗、また企業の受付等はもちろん、事故や自然災害発生の可能性がある道路や河川等々まで、用途、目的に応じた映像モニタリングシステムが提供されている。映像モニタリングシステムは、監視カメラ等を用いて広大な施設や常時警備が不可能である施設管理において関し箇所を撮影し、撮影により得られた画像を監視拠点に配信する。各監視拠点では、建造物の出入り口、駐車場などあらゆる場所の監視画像を複数ヶ所同時に映像情報で視認することができる。
【０００３】
このような、映像モニタリングシステムにおいて、システムを構成する機器、例えば監視カメラ、映像データレコーダ、ネットワーク接続機器（例えば、ルータ）などが正常に動作し続けているよう映像モニタリングシステムを保守管理する必要があり、これらの機器に障害が発生した場合、障害発生を通知し、障害の復旧を図るシステムである機器監視システムが提案されている（例えば、特許文献１）。
【特許文献１】特開２００２−３２８７８号公開公報
【発明の開示】
【発明が解決しようとする課題】
【０００４】
ところで、上記のような映像モニタリングシステムを、機器監視システムを用いて保守管理する人又は組織（以下、保守管理者と呼ぶ）は、必ずしも一つではなく複数の役割や立場の異なる保守管理者が保守管理に当たることが一般的に行われている。例えば、映像モニタリングシステムのユーザ会社（例えば、金融機関）のシステム部門或いは警備部門、及びユーザ会社から映像モニタリングシステムのシステム保守（ソフトウエアを含む）を請け負ったシステム会社、ユーザ会社或いはシステム会社からシステム機器の保守点検を請け負ったメンテナンスサービス会社、などである。従来の機器管理システムは、監視対象である映像モニタリングシステムに障害などが発生した場合に、これらの保守管理者に対して障害発生を通知するメッセージやアラートを送信する。
【０００５】
しかし、映像モニタリングシステムにおける障害の重大性や緊急性は、障害箇所や程度によって異なるため、すべての管理者に対してすべてのメッセージやアラートを一律に送信すると、頻繁に送信されるこれらメッセージによって、かえって管理業務を混乱させてしまう虞があった。例えば、映像モニタリングシステムの動作が完全に停止してしまう電源関係の障害についてはすべての管理者に通知がなされる必要があるが、一方映像データレコーダが備えている複数のＨＤＤ（ハードディスクドライブ）のうち、一台が故障した場合には、映像モニタリングシステムの動作は継続しているため、システム会社、メンテナンスサービス会社に通知が送られる必要があるが、ユーザ会社に対する通知は必要ない。
【０００６】
本発明の目的は、監視対象である映像モニタリングシステムにおける障害などのイベント発生の通知を、イベントの重要度に応じて監視端末への配信の有無を制御することにある。
【課題を解決するための手段】
【０００７】
上記課題を解決するための手段として、本発明は以下の特徴を有している。  
本発明の一つの態様は、映像モニタリングシステムにおいて所定の事象が発生した場合に、当該事象の発生を通知するためのメッセージを配信する機器監視システムとして提案される。
【０００８】
この機器監視システムは、異なる複数の使用者（例えば、映像モニタリングシステムのユーザ、映像モニタリングシステムの保守担当者、映像モニタリングシステムのシステム担当者、など）によって使用される複数の監視端末装置と、映像モニタリングシステムにおいてある事象が発生した場合に、当該事象の通知レベルに応じて、複数の監視端末装置のうちいずれの監視端末装置に当該事象の発生を通知するためのメッセージを配信するかを決定する監視装置とを有することを特徴としている。
【０００９】
この機器監視システムによれば、それぞれの監視端末装置の監視目的（例えば、機器故障の検知、運用障害の検知）が違う場合にも、それぞれの監視端末装置の監視目的に応じたメッセージの配信を選択的行うことができる。
【００１０】
また、上記の機器監視システムにおいて、事象は、映像モニタリングシステムの故障又は異常であり、故障又は異常の重大性が高いほど、より多くの監視端末装置にメッセージが配信されるようにしてもよい。
【発明の効果】
【００１１】
本発明によれば、故障等のイベントの重要度により、通知の必要のある監視端末装置へ選択的に通知を行うことができる。
【発明を実施するための最良の形態】
【００１２】
以下、図面を参照しながら本発明の実施の形態を説明する。  
［１．機器監視システムの構成例］
まず、本発明の実施の形態である機器監視システムの構成例について図１を参照しながら説明する。図１は、機器監視システムの構成例を示すブロック図である。
【００１３】
機器監視システム１は、映像モニタリングシステムを構成する機器の故障などを監視する監視装置１０と、通信網１２を介して監視装置１０に接続可能な監視端末装置１１とで構成される。また、機器監視システム１の監視対象である映像モニタリングシステム２は通信網１２に接続されており、監視装置１０と通信可能になっている。
【００１４】
［１．１．映像モニタリングシステム］
映像モニタリングシステム２は、監視カメラで撮影した映像を端末に配信可能とすることで、遠隔地の状況をモニタリングするシステムである。図１に示した映像モニタリングシステム２は、一台又は複数台の監視カメラ２１と、これら監視カメラ２１が出力した映像データをローカルエリアネットワーク（以下、ＬＡＮ）２４を経由して受信して、記憶するＨＤＤ（ハードディスクドライブ）レコーダ２２と、映像データレコーダ２２とＬＡＮ２４を介して接続するとともに通信網１２に接続可能なネットワーク中継装置であるルータ２３から構成されている。
【００１５】
［１．１．１．監視カメラ］
監視カメラ２１は、いわゆるネットワークカメラであって、ウェブサーバ機能を持ち、ネットワークに接続することでネットワークを利用して遠隔地から端末装置を用いて画像や静止画を確認できるようにしたカメラである。監視カメラ２１は、撮影した画像を画像データとして出力し、ＬＡＮ２４を介して映像データレコーダ２２に送信する。
【００１６】
［１．１．２．映像データレコーダ］
映像データレコーダ２２は、各監視カメラ２１から送信される画像データを受信して、これを記録する。また、映像データレコーダ２２は、各監視カメラ２１、及び映像データレコーダ２２自身の状態を監視し、故障や異常が発生した場合には、監視装置１０に通知メッセージを送信する。
【００１７】
映像データレコーダ２２は、記憶媒体を備えた情報処理装置であって、例えばハードディスクドライブを備えたコンピュータ、マイクロコンピュータを備えたＨＤＤレコーダなどである。
【００１８】
図２は、映像データレコーダ２２の構成例を示す機能ブロック図である。映像データレコーダ２２は、ＬＡＮ２４に接続されたＬＡＮ側通信処理部２２１と、ＬＡＮ側通信処理部２２１に接続された画像データ取得部２２２と、画像データ取得部２２２に接続された画像データ記憶部２２３と、ＬＡＮ側通信処理部２２１に接続された検出部２２５と、ＬＡＮ側通信処理部２２１に接続された通知メッセージ生成部２２６と、電源部２２４とを有している。また、検出部２２５は、画像データ取得部２２２、画像データ記憶部２２３、接続された検出部２２５、電源部２２４、通知メッセージ生成部２２６に接続されている。
なお、ここでいう「接続」とは信号線、配線、ケーブルなどにより物理的に接続されている場合のみではなく、ソフトウエアのモジュール、コンポーネントなどがデータの受け渡し、引数の受け渡しを行う場合も含む意味で用いる。
【００１９】
ＬＡＮ側通信処理部２２１は、ＬＡＮ２４を介して監視カメラ２１及びルータ２３とデータ、メッセージなどの送受信を行う機能を有し、例えばＬＡＮボード、イーサネット（「イーサネット」は登録商標）カードなどである。
【００２０】
画像データ取得部２２２は、監視カメラ２１から送信される画像データを受信して、これを画像データ記憶部２２３に記憶させる機能を有し、例えば、マイクロコンピュータが所定のプログラムを実行することにより実現される構成要素である。
【００２１】
また、画像データ取得部２２２は、通信網１２に接続された映像受信端末からの画像データ送信要求に応じて、要求された画像データを当該映像受信端末に配信するサーバとして機能する。「映像受信端末」は、映像エンコーダで符号化した映像ストリームを受信し再生・表示する端末装置であって、例えばネットワーク接続機能を有するＰＣ（パーソナルコンピュータ）である。なお、本実施の形態では監視端末装置１１Ａ〜１１Ｃは映像受信端末を兼ねるものとするが、監視端末装置１１と映像受信端末を別々にする構成にしてもかまわない。
【００２２】
画像データ記憶部２２３は、画像データ取得部２２２が各監視カメラ２１から取得した画像データを記憶する機能を有し、例えば、ハードディスクドライブ、磁気テープ記録装置、ＣＤ、ＤＶＤドライブ装置などである。
【００２３】
検出部２２５は、各監視カメラ２１、及び映像データレコーダ２２の各部、すなわち、ＬＡＮ側通信処理部２２１、画像データ取得部２２２、画像データ記憶部２２３、電源部２２４、通知メッセージ生成部２２６の故障、異常の発生を検出する機能を有する。検出部２２５は、所定のプログラムをマイクロコンピュータが実行することによって実現される構成要素である。
【００２４】
通知メッセージ生成部２２６は、検出部２２５が検出した結果に応じて、検出結果を監視装置１０に送信する通知メッセージを生成する機能を有する。生成された通知メッセージはＬＡＮ側通信処理部２２１からＬＡＮ２４に創出され、ＬＡＮ２４を経由してルータ２３に送られる。ルータ２３は通知メッセージを監視装置１０宛の通信パケットとして通信網１２に送出する。
【００２５】
通知メッセージには、故障、異常の発生した装置、部位、その程度を表す情報、例えばエラーコードが格納される。
【００２６】
電源部２２４は、映像データレコーダ２２の各部に電力を供給する機能を有し、例えば、ＡＣ／ＤＣコンバータ回路、バッテリ装置などである。
【００２７】
［１．１．３．ルータ］
ルータ２３は、ネットワーク間の接続を行うネットワークデバイスである。なお、ＬＡＮ２４と通信網１２とを接続可能なネットワークデバイスであれば、ルータ以外の装置であってもよく、モデムであってもかまわない。ルータ２３はＷＡＮ側ネットワークである通信網１２と、ＬＡＮ２４とに接続されている。
以上で、機器監視システム１の監視対象である映像モニタリングシステム２の説明を終了する。
【００２８】
［２．機器監視システム］
図１に戻り、機器監視システム１の構成例について説明する。
機器監視システム１は、通信網１２に接続された監視装置１０と、通信網１２に接続された監視端末装置１１Ａ〜１１Ｃ（総称して監視端末装置１１と呼ぶことがある）とを有している。この実施の形態では、監視端末装置１１は３種類の異なる監視者によって使用される。監視者は映像モニタリングシステムのユーザ、映像モニタリングシステムの機器保守管理を行う保守担当、映像モニタリングシステムの保守運用管理全体を担うシステム担当の３種類である。機器監視システム１は、映像モニタリングシステム２からの通知メッセージのすべてをシステム担当の使用する監視端末装置１１Ａに配信し、通知メッセージのうち機器の保守が必要なものについてはさらに保守担当の使用する監視端末装置１１Ｂにも配信し、さらに通知メッセージのうち重大な障害（映像モニタリングシステムの稼動が停止するなど）に関するものはユーザの使用する監視端末装置１１Ｃにも配信するものとする。
【００２９】
［２．１．監視装置］
監視装置１０は、映像データレコーダ２２から通知メッセージを受信し、この通知メッセージの重要度に応じて監視端末装置１１Ａ〜１１Ｃの全部又は一部に通知メッセージを送信する機能を有する。
【００３０】
監視装置１０は、演算処理装置（ＣＰＵ）、主メモリ（ＲＡＭ）、読出し専用メモリ（ＲＯＭ）、入出力装置（Ｉ／Ｏ）、必要な場合にはハードディスク装置等の外部記憶装置を具備している装置であって、例えばコンピュータ、ワークステーションなどの装置である。前記ＲＯＭ、若しくはハードディスク装置などにプログラムが記憶されており、このプログラムを主メモリ上に載せ、ＣＰＵがこれを実行することにより監視装置１０が実現される。また、上記プログラムは必ずしも情報処理装置内の記憶装置に記憶されていなくともよく、外部の装置（例えば、ＡＳＰ（アプリケーション・サービス・プロバイダのサーバなど））から提供され、これを主メモリに乗せる構成であってもよい。さらに、この監視装置１０は単体の装置で構成されていてもよいし、複数の装置をネットワークにより結合して構成されるものでもよい。
【００３１】
図３に、監視装置１０の構成例を示した機能ブロック図を掲げる。以下、図３を参照しながら監視装置１０の構成例を説明する。
監視装置１０は、通信処理部２０１と、通信処理部２０１に接続された通知メッセージ配信部２０２と、通知メッセージ配信部１０２に接続された配信先端末決定テーブル記憶部１０３とを有している。
【００３２】
通信処理部２０１は、通信網１２を介して映像モニタリングシステム２及び各監視端末装置１１Ａ、１１Ｂ、１１Ｃとデータやメッセージを送受信するため、所定のプロトコルの実行、及びデータと電気信号の相互変換を実行する機能を有し、例えば、ネットワークボード／ネットワークカード、ＬＡＮボードなどである。
【００３３】
通知メッセージ配信部１０２は、映像モニタリングシステム２、より詳しくは映像データレコーダ２２から送信された通知メッセージを受信し、この通知メッセージの重要度を判定し、判定結果に応じて各監視端末装置１１Ａ、１１Ｂ、１１Ｃのうち、この通知メッセージを配信する監視端末装置を決定し、決定した監視端末装置に通知メッセージ、或いは受信した通知メッセージに基づいて新たに生成したメッセージを送信する機能を有する。
【００３４】
なお、各監視端末装置１１への通知メッセージの送信は、電子メールのようなＰｕｓｈ式の配信でもよく、各端末装置１１ごとに用意されたＷｅｂページを閲覧させるＰｕｌｌ式でもどちらによってもかまわない。
【００３５】
配信先端末決定テーブル記憶部１０３は、通知メッセージ配信部１０２が通知メッセージを配信する監視端末装置を決定するための情報である配信先端末決定テーブルなどを記憶する機能を有する。図４は、配信先端末決定テーブル記憶部１０３が記憶する通知レベル判定テーブルのデータ構成例を示す図である。この通知レベル判定テーブルは、通知メッセージに含まれる故障若しくは以上の内容を特定する情報であるエラーコードから、通知メッセージの重要度を示すレベルを決定するためのテーブルである。ここでは、レベルは「Ｌｅｖｅｌ１」から「Ｌｅｖｅｌ５」までの５段階あるものとして例を説明するが、本実施の形態がこのレベル構成に拘束される趣旨ではない。この例では、レベルを示す数が大きくなるほど重要度が上がることとする。
【００３６】
通知レベル判定テーブル４００は、エラーコードごとに一つのレコード４０１を有し、各レコード４１０はそれぞれ、エラーコード格納フィールド４０２、通知レベル格納フィールド４０３、エラー内容格納フィールド４０４とを有している。
【００３７】
エラーコード格納フィールド４０２は、通知メッセージに含まれる故障若しくは以上の内容を特定する情報であるエラーコードを格納する。通知レベル格納フィールド４０３はそのレコード４０１が格納するエラーコードに対応する通知レベルを格納する。エラー内容格納フィールド４０４は、そのレコード４０１が格納するエラーコードの内容又は説明を格納する。
【００３８】
図に示す例では、エラーコード「ＨＤ００１」は映像データレコーダ２２が備える複数のＨＤＤのうち一台が故障したことを示すエラーコードであり、その通知レベルは中程度の重要性である「Ｌｅｖｅｌ３」である。これは、複数のＨＤＤのうち一台が故障しても映像モニタリングシステム１の稼動は停止することは無いが、ＨＤＤ交換を行う保守作業は必要であるためである。また、エラーコード「ＰＷ００５」は監視カメラ２１の電源がＯＮしないことを示すエラーコードであり、その通知レベルは最も高い重要性である「Ｌｅｖｅｌ５」である。これは、監視カメラ２１が動作しない状況が発生し映像モニタリングシステムの目的が達成できず、至急の対応が必要であるためである。
【００３９】
配信先端末決定テーブル記憶部１０３は、上記通知レベル判定テーブル４００に加えて、配信先端末決定テーブルを記憶する。図５は、配信先端末決定テーブルのデータ構成例を示す図である。図５に示す例において、配信先端末決定テーブル５００は、通知レベルＬeｖｅｌ１からＬｅｖｅｌ５までの５つの通知レベルそれぞれについて、一つのレコード５０１を有している。各レコード５０１は、通知レベル格納フィールド５０２、ユーザ監視端末通報要否格納フィールド５０３、保守担当監視端末通報要否格納フィールド５０４、システム担当監視端末通報要否格納フィールド５０５を有している。
【００４０】
通知レベル格納フィールド５０２は、対応する通報例ベルを示す情報を格納し、ユーザ監視端末通報要否格納フィールド５０３、保守担当監視端末通報要否格納フィールド５０４、システム担当監視端末通報要否格納フィールド５０５は、対応する通知レベルを有する通知メッセージをユーザの使用する監視端末創始１１Ｃ，１１Ｂ，１１Ａに配信するか否かを示す情報を格納する。なお、図に示す例では「Ｙ」が格納されている場合は対応する監視端末装置１１に通知メッセージの配信を行うことを示し、「Ｎ」が格納されている場合は対応する監視端末装置１１に通知メッセージの配信を行わないことを示している。すなわち、通知レベル「Level１」、「Level２」についてはシステム担当の使用する監視端末装置１１Ｃにのみ通知メッセージの配信が行われ、通知レベル「Level3」、「Level4」についてはシステム担当の使用する監視端末装置１１Ｃ及び保守担当の使用する監視端末装置１１Ｂに通知メッセージの配信が行われ、通知レベル「Level5」についてはシステム担当の使用する監視端末装置１１Ｃ、保守担当の使用する監視端末装置１１Ｂ、ユーザの使用する監視端末装置１１Ａのすべてに通知メッセージの配信が行われる。
【００４１】
なお、映像データレコーダ２２がエラーコードのみでなく、通知レベルも通知メッセージに含めて送信する構成としてもよく、その場合には配信先端末決定テーブル記憶部１０３は通知レベル判定テーブル４００を記憶する必要は無く、配信先端末決定テーブル５００のみ記憶していれば足りる。
【００４２】
［２．２．監視端末装置］
監視端末装置１１は、監視装置からの通知メッセージを使用者（この実施の形態においては、ユーザ、保守担当、システム担当の３種類）に閲覧させるための装置である。監視端末装置１１は、演算処理装置（ＣＰＵ）、主メモリ（ＲＡＭ）、読出し専用メモリ（ＲＯＭ）、入出力装置（Ｉ／Ｏ）、必要な場合にはハードディスク装置等の外部記憶装置を具備し、ネットワーク通信機能を備えた装置であって、例えばコンピュータ、携帯電話機のような移動体通信端末などの装置である。前記ＲＯＭ、若しくはハードディスク装置などにプログラムが記憶されており、このプログラムを主メモリ上に載せ、ＣＰＵがこれを実行することにより監視端末装置１１が実現される。
【００４３】
図６は、監視端末装置１１の構成例を示す機能ブロック図である。なお、図６は機器監視システム１のための機能に関する構成要素のみ表示しており、映像モニタリングシステム２の映像受信端末のための構成要素は図示を省略した。
【００４４】
監視端末装置１１は、通信網１２に接続された端末側通信処理部１１１と、端末側通信処理部１１１に接続された通知メッセージ処理部１１２と、通知メッセージ処理部１１２に接続された出力部１１３とを有している。
【００４５】
端末側通信処理部１１１は、通信網１２を介して映像モニタリングシステム２及び監視装置１０とデータやメッセージを送受信するため、所定のプロトコルの実行、及びデータと電気信号の相互変換を実行する機能を有し、例えば、ネットワークボード／ネットワークカード、ＬＡＮボード、及び移動体通信端末である場合にはさらにＲＦユニットなどである。
【００４６】
通知メッセージ処理部１１２は、監視装置１０の通知メッセージ配信部１０２が送信した通知メッセージを受信し、これを出力部１１３に出力させる機能を有する。通知メッセージ処理部１１２は、例えば、電子メールクライアント、Ｗｅｂブラウザ、或いは通知メッセージ配信部１０２をサーバとするクライアントであり、ＣＰＵ及びプログラムによって実現される。
【００４７】
出力部１１３は、通知メッセージ処理部１１２の出力に応じて通知メッセージの内容を使用者に認識させるように出力を行う機能を有し、例えば、液晶ディスプレイ装置、プリンタ、などである。
【００４８】
［２．３．通信網］
通信網１２は、有線・無線、専用回線・交換回線を問わず、これに接続されている装置がそれぞれ目的とする装置に対しセッションを確立したときにその装置間での情報の送受を可能とするように作用する。ネットワークは、インターネットのように、ゲートウエイを介して複数のネットワークが組み合わされて実現してもかまわない。また、その接続についてもいわゆるバックボーンといわれる基幹線に直接接続せずとも、ＰＰＰ接続などによって一時的に接続してあっても、セッションを確立したときにその間で情報の送受ができるようになっていれば構わない。
以上で、機器監視システム１の構成例の説明を終了する。  
【００４９】
［３．動作例］
次に、上記の機器監視システム１の動作例について説明する。図７は、機器監視システム１の動作例を示すシーケンス図である。この例では、上述の通知レベル「Ｌｅｖｅｌ１」である通知メッセージが映像モニタリングシステム２から発せられる場合を扱う。
【００５０】
まず、映像モニタリングシステム２において、通知レベル「Ｌｅｖｅｌ１」である異常が発生したものとする（Ｓ１０）。
【００５１】
映像データレコーダ３０、より詳しくは検出部２２５がこの異常を検出する（Ｓ２０）。次に、映像データレコーダ２２の通知メッセージ生成部２２６は検出部２２５の検出結果に基づいて、通知メッセージを生成し通知メッセージを、ＬＡＮ２４を経由してルータ２３に送信する（Ｓ３０）。この通知メッセージには通知レベル「Ｌｅｖｅｌ１」であるエラーコードが含まれている。
【００５２】
ルータ２３は映像データレコーダ２２から受信した通知メッセージを監視装置１０に宛てて通信網１２に送信する（Ｓ４０）。
監視装置１０は、ルータ２３から通知メッセージを受信すると、通知メッセージ配信部１０２が配信先決定テーブル記憶部１０３の各テーブル４００，５００を参照して配信先を決定する（Ｓ５０）。この例では、エラーコードが通知レベル「Ｌｅｖｅｌ１」に対応しているので、配信先はシステム担当監視端末装置１１Ｃのみである（図５参照）。
【００５３】
監視装置１０、より詳しくは通知メッセージ配信部１０２はシステム担当監視端末装置１１Ｃのみに宛てて通知メッセージを、通信網１２を経由して送信する（Ｓ６０）。
【００５４】
通知メッセージを受信したシステム担当監視端末装置１１Ｃ、より詳しくは通知メッセージ処理部１１２は、受信した通知メッセージを出力部１１３に出力させ、出力部１１３２は通知メッセージの内容を出力する（Ｓ７０）。その結果システム担当は、監視対象である映像モニタリングシステム２において異常が生じたことを知ることができ、必要な対応をとることが可能となる。しかし、保守担当、ユーザには通知メッセージが配信されないため、保守担当、ユーザはこの通知メッセージに対する対応を検討する必要は生じない。
【００５５】
次に、最も重大な障害が発生した場合である通知レベル「Ｌｅｖｅｌ５」である通知メッセージが映像モニタリングシステム２から発せられる場合の動作例を説明する。
まず、映像モニタリングシステム２において、通知レベル「Ｌｅｖｅｌ５」である障害が発生したものとする（Ｓ１１０）。
【００５６】
映像データレコーダ３０、より詳しくは検出部２２５がこの障害を検出する（Ｓ１２０）。次に、映像データレコーダ２２の通知メッセージ生成部２２６は検出部２２５の検出結果に基づいて、通知メッセージを生成し通知メッセージを、ＬＡＮ２４を経由してルータ２３に送信する（Ｓ１３０）。この通知メッセージには通知レベル「Ｌｅｖｅｌ５」であるエラーコードが含まれている。
ルータ２３は映像データレコーダ２２から受信した通知メッセージを監視装置１０に宛てて通信網１２に送信する（Ｓ４０）。
【００５７】
監視装置１０は、ルータ２３から通知メッセージを受信すると、通知メッセージ配信部１０２が配信先決定テーブル記憶部１０３の各テーブル４００，５００を参照して配信先を決定する（Ｓ１５０）。この例では、エラーコードが通知レベル「Ｌｅｖｅｌ５」に対応しているので、配信先はシステム担当監視端末装置１１Ｃ、保守担当監視端末装置１１Ｂ，及びユーザ監視端末装置１１Ａのすべてである（図５参照）。
【００５８】
監視装置１０、より詳しくは通知メッセージ配信部１０２はシステム担当監視端末装置１１Ｃ、保守担当監視端末装置１１Ｂ，及びユーザ監視端末装置１１Ａに宛てて通知メッセージを、通信網１２を経由して送信する（Ｓ１６０、Ｓ１７０、Ｓ１８０）。
【００５９】
通知メッセージを受信したシステム担当監視端末装置１１Ｃ、保守担当監視端末装置１１Ｂ，及びユーザ監視端末装置１１Ａそれぞれの通知メッセージ処理部１１２は、受信した通知メッセージを出力部１１３に出力させ、出力部１１３２は通知メッセージの内容を出力する（Ｓ１９０、Ｓ２００、Ｓ２１０）。その結果システム担当、保守担当、ユーザのそれぞれは、監視対象である映像モニタリングシステム２において重大な障害が生じたことを知ることができ、必要な対応をとることが可能となる。
【００６０】
なお、通知レベル「Level3」「Level４」の場合の動作例の説明は省略するが、ユーザ監視端末装置１１Ａへの通知メッセージの配信、及びユーザ監視端末装置１１Ａでの出力が行われないことを除いて、図７に示した動作例と同様である。
【００６１】
このように、本発明にかかる機器監視システム１によれば、故障等のイベントの重要度により、通知する監視端末装置１１の選択を行うことができる。また、監視装置１０の配信先端末決定テーブル記憶部１０３の記憶内容を変更することにより、通知メッセージの通知レベルの変更、配信先の選択を容易に変更できるため、運用にかかわる人員を削減することも可能となる。
【００６２】
［４．変形例］
上記の実施の形態では、通知レベルと監視端末装置１１への配信の要否を対応付けした配信先端末決定テーブル５００を用いて、配信先とする監視端末装置１１を決定するようにしたが、本発明はこの構成に限定されるものではなく、各監視端末装置１１に監視レベルを設定し、通知レベルと監視レベルとを比較して配信先とする監視端末装置１１を決定するようにしてもよい。例えば、システム担当監視端末装置１１Ａの監視レベルを「Ｌｅｖｅｌ１」と、保守担当監視端末装置１１Ｂの監視レベルを「Ｌｅｖｅｌ３」と、ユーザ監視端末装置１１Ｃの監視レベルを「Ｌｅｖｅｌ５」と設定する。監視装置１０は、通知レベルがその監視端末装置１１の監視レベル以下である場合には、通知メッセージをその監視端末装置１１に配信する。例えば、ある故障について設定されている通知レベルが「Ｌｅｖｅｌ１」であれば、監視レベル「Ｌｅｖｅｌ１」のシステム担当監視端末装置１１Ａには通知メッセージを配信するが、監視レベル「Ｌｅｖｅｌ３」の保守担当監視端末装置１１Ｂ，監視レベル「Ｌｅｖｅｌ５」のユーザ担当監視端末装置１１Ｃにはその通知メッセージの配信を行わない。
【００６３】
また、ある故障について設定されている通知レベルが「Ｌｅｖｅｌ５」であれば、監視レベル「Ｌｅｖｅｌ１」のシステム担当監視端末装置１１Ａ、監視レベル「Ｌｅｖｅｌ３」の保守担当監視端末装置１１Ｂ，監視レベル「Ｌｅｖｅｌ５」のユーザ担当監視端末装置１１Ｃのすべてに通知メッセージの配信が行われる。
上記の構成によっても、本発明は成立する。
【図面の簡単な説明】
【００６４】
【図１】機器監視システム及び映像モニタリングシステムの構成例を示すブロック図
【図２】映像データレコーダの構成例を示す機能ブロック図
【図３】監視装置の構成例を示す機能ブロック図
【図４】通知レベル判定テーブルのデータ構成例を示す図
【図５】配信先端末決定テーブルのデータ構成例を示す図
【図６】監視端末装置の構成例を示す機能ブロック図
【図７】機器監視システムの動作例を示すシーケンス図
【図８】機器監視システムの別の動作例を示すシーケンス図
【符号の説明】
【００６５】
１                        …  機器監視システム
２                        …  映像モニタリングシステム
１０                      …  監視装置
１１Ａ，１１Ｂ、１１Ｃ    …  監視端末装置
１０２                    …  通知メッセージ配信部
１０３                    …  配信先端末決定テーブル
【図１】
2009089229.tif 000003
【図２】
2009089229.tif 000004
【図３】
2009089229.tif 000005
【図４】
2009089229.tif 000006
【図５】
2009089229.tif 000007
【図６】
2009089229.tif 000008
【図７】
2009089229.tif 000009
【図８】
2009089229.tif 000010